(57)【要約】再生専用装置がサーボ信号を維持したまま情報再生できるように、追記型メディアに対して、記録データの最後を示す情報の記録、変更が可能な光ディスク記録再生装置を提供する。【課題】  【解決手段】情報記録再生装置は、情報の追記が可能な追記型光ディスクにユーザデータ（＃１、＃２）を記録した場合、ユーザデータ（＃１、＃２）を再生専用装置でも再生できるようにクローズ処理を行う。このクローズ処理は、記録した情報の終了位置であることを示す最終記録位置情報ＮＢＭ（Ａ１）を、前記ユーザデータ（＃２）の外側に記録することを含む。その後、ユーザデータ＃３を追記した場合は、クローズ処理として最終記録位置情報ＮＢＭ（Ａ１）を所定パターンデータを用いて消去して、新たな最終記録位置情報ＮＢＭ（Ｂ１）をユーザデータ＃３の後方位置に記録する。【選択図】    図６
2006048750.tif 000002
【特許請求の範囲】
【請求項１】
光ディスクの情報記録面にレーザ光を集光し、情報の記録及び再生を行う光ピックアップと、
情報の追記が可能な追記型光ディスクに第１ユーザデータを、前記光ピックアップを用いて記録する手段と、
記録した情報の終了位置であることを示す第１最終記録位置情報を、前記光ピックアップを用いて前記第１ユーザデータの外側に記録する手段と、
前記追記型光ディスクに第２ユーザデータを記録する手段と、
前記第１最終記録位置情報に所定パターンを上書きする上書き手段と、
記録した情報の終了位置であることを示す第２最終記録位置情報を前記第２ユーザデータの外側に記録する手段と、
を具備することを特徴とする情報記録再生装置。
【請求項２】
前記追記型光ディスクに記録される情報は複数のセクターからなり、前記第１最終記録位置情報は複数のセクターを含み、前記上書き手段は、前記第１最終記録位置情報に、セクター単位で前記所定パターンを上書きすることを特徴とする請求項１記載の情報記録再生装置。
【請求項３】
前記上書き手段は、前記第１最終記録位置情報が含む複数のセクターの１セクターおきに、前記所定パターンを上書きすることを特徴とする請求項６記載の情報記録再生装置。
【請求項４】
前記第１ユーザデータと前記第１最終記録位置情報の間に、該第１最終記録位置情報が記録されている位置を示す第１アドレス情報を記録する手段を具備することを特徴とする請求項１記載の情報記録再生装置。
【請求項５】
前記最終記録位置情報に上書きをする前記所定パターンが、前記ユーザーデータを変調するための変調方式と同じラン長に制限されていることを特徴とする請求項１記載の情報記録再生装置。
【請求項６】
情報の追記が可能な追記型光ディスクの情報記録面にレーザ光を集光して情報を記録する方法であって、
前記光ディスクに第１ユーザデータを記録し、
記録した情報の終了位置であることを示す第１最終記録位置情報を、前記第１ユーザデータの外側に記録し、
前記追記型光ディスクに第２ユーザデータを記録し、
前記第１最終記録位置情報に所定パターンを上書きし、
記録した情報の終了位置であることを示す第２最終記録位置情報を前記第２ユーザデータの外側に記録する工程を具備することを特徴とする情報記録方法。
【請求項７】
光ディスクに記録されたユーザーデータを再生する情報再生装置であって、前記光ディスクは、ディスク最内周側にエンボスピットで記録されたシステムリードインエリア、及びそれぞれグルーブトラックに記録されるフォーマットデータ、ユーザーデータ、該ユーザーデータを管理するための管理データ及び記録した情報の終了位置であることを示す最終記録位置情報を含み、
前記システムリードインエリアを読み出して、前記フォーマットデータが記録されている位置を検出する手段と、
前記フォーマットデータを読み出して、前記ユーザデータが記録された領域の終端位置を判断する判断手段と、
前記終端位置以降を再生して、前記最終記録位置情報を確認する確認手段と、
前記最終記録位置情報が上書きによって消去されていた場合、次に記録されているユーザデータに関すフォーマット情報を読み出す読出し手段を具備し、
前記最終記録位置情報を検出するまで、前記判断手段、前記確認手段及び前記読出し手段の動作が繰り返されることを特徴とする情報再生装置。
【請求項８】
光ディスクに記録されたユーザーデータを再生する情報再生方法であって、
前記光ディスクは、ディスク最内周側にエンボスピットで記録されたシステムリードインエリア、及びそれぞれグルーブトラックに記録されるフォーマットデータ、ユーザーデータ、該ユーザーデータを管理するための管理データ及び記録した情報の終了位置であることを示す最終記録位置情報を含み、
前記システムリードインエリアを読み出して、前記フォーマットデータが記録されている位置を検出し、
前記フォーマットデータを読み出して、前記ユーザデータが記録された領域の終端位置を判断し、
前記終端位置以降を再生して、前記最終記録位置情報を確認し、
前記最終記録位置情報が上書きによって消去されていた場合、次に記録されているユーザデータに関すフォーマット情報を読み出す工程を含み、
前記最終記録位置情報を検出するまで、上記判断する工程、確認する工程及び読み出す工程を繰り返すことを特徴とする情報再生方法。
【請求項９】
レーザ光により情報の記録が可能な光ディスクであって、
エンボスピットで情報が記録されたエンボスリードインエリアと、
前記エンボスリードインエリアの外側に設けられ、前記レーザ光により情報の記録が可能なリードインエリアと、
前記リードインエリアの外側に設けられ、前記レーザ光によりユーザーデータが記録されるデータエリアとを備え、
前記データエリアは、記録された情報の最後に、記録情報の終了位置であることを示す最終記録位置情報を具備することを特徴とする光ディスク。
【発明の詳細な説明】
【技術分野】
【０００１】
本発明は、レーザ光を用いて情報を記録可能な光ディスク、光ディスクに対して情報を記録再生する情報記録再生装置、光ディスクに記録された情報を再生する情報再生装置に関し、特に追記型ディスクの情報記録状態を確認する方法に関する。
【背景技術】
【０００２】
周知のように近年では、情報の高密度記録が可能な光ディスクとして、片面１層容量が４．７ＧＢを有する光ディスクが実用化されている。特に、ライトワンスの追記型メディアであるＤＶＤ−Ｒ（ＥＣＭＡ−２７９）、ＤＶＤ＋Ｒ（ＥＣＭＡ−３４９）は急速に市場が拡大している。
【０００３】
これらの光ディスクは透明基板上に情報記録層を形成し、レーザー光をこれに集光することで、情報の記録再生を行っている。また、情報の記録再生の手段として、光ディスクの情報記録層はグルーブと呼ばれる案内溝をトラックとして有している。情報の記録再生はこの案内溝に沿って行われる。また、情報を記録再生する位置を特定するための、物理アドレスが形成されている。
【０００４】
また、ディスクに記録される情報にはユーザーデータ等のコンテンツに加え、ユーザーデータが記録されている位置や内容を示す管理データが含まれている。通常、記録時に予め記録容量がわかっている再生専用ディスク、情報の記録後書き換えが可能な書き換え型ディスクでは、このユーザーデータの記録状態を示す管理データがディスクの内周側に記録されており、ディスクの内周側を再生した段階で、ディスクの最終記録位置等がわかるようになっている。これに対して、追記型ディスクでは記録データの書き換えができないため、一度記録した内周側の管理データを更新することができない。よって、最新（最後）の管理情報の記録位置が不明であり、記録データの最外周が確定しない。したがって、最外周位置を確定するためには、最後まで再生を行い、サーボが外れた時点を最外周と判断していた。
【０００５】
これに対して、公知例では、記録データの最外周に「記録データの最後を示すデータ」を配置し、データの最後を示すことでサーボが外れる前に、記録データの最後を確認可能にしている。しかし、その後データを追記する場合に、この「記録データの最後を示すデータ」をどのように処理するか具体的方法が記載されていない。つまり、データを追記する具体的方法が示されていない。
【特許文献１】特開平９−１６９６６号公報
【発明の開示】
【発明が解決しようとする課題】
【０００６】
ＣＤ−ＲやＤＶＤ−Ｒといったようなライトワンスの追記型メディアでは、データの書き換えができない。従って、例えば上書きを行うと、連続したデータの読み出しに問題が発生するため、上記公報の方法を用いることはできない。さらにＤＶＤ−Ｒではこれに変わる方法として最小の記録単位である１ＥＣＣ  ＢＬＯＣＫ分の記録データを一部記録せずに空白のまま残しておくことにより、記録データの最後を示すＮｅｘｔ  ｂｏｒｄｅｒ  ｍａｋｅｒというものが定義されている。しかし、再生専用光ディスク装置の場合、１ＥＣＣ  ＢＬＯＣＫに空白があるとトラッキングは外れてしまう。
【０００７】
このように、データの最後が予め判明せず、サーボが外れてしまうと、検索・ディスク認識に時間がかかる上に、装置が壊れる恐れがあるといった問題が発生する。
【０００８】
そこで、本発明は上記の問題を解決するためになされたものであり、ライトワンスの追記型メディアに対して、サーボ信号を維持したまま、記録データの最後を示す情報の記録、変更が可能で、記録データの読み取り安定性の高い、光ディスク、光ディスク再生装置、光ディスク記録装置、光ディスク再生方法及び、光ディスク記録方法を提供することを目的とする。
【課題を解決するための手段】
【０００９】
本発明の一実施形態に係る情報記録再生装置は、光ディスクの情報記録面にレーザ光を集光し、情報の記録及び再生を行う光ピックアップと、情報の追記が可能な追記型光ディスクに第１ユーザデータを、前記光ピックアップを用いて記録する手段と、記録した情報の終了位置であることを示す第１最終記録位置情報を、前記光ピックアップを用いて前記第１ユーザデータの外側に記録する手段と、前記追記型光ディスクに第２ユーザデータを記録する手段と、前記第１最終記録位置情報に所定パターンを上書きする上書き手段と、記録した情報の終了位置であることを示す第２最終記録位置情報を前記第２ユーザデータの外側に記録する手段と、を具備する。
【発明の効果】
【００１０】
ライトワンスの追記型メディアに対して、サーボ信号を維持したまま、記録データの最後を示す情報の記録、変更が可能で、記録データの読み取り安定性の高い、光ディスク、光ディスク再生装置、光ディスク記録装置、光ディスク再生方法及び、光ディスク記録方法が提供される。
【発明を実施するための最良の形態】
【００１１】
以下、図面を参照しながら本実施例について説明する。
【００１２】
図１に本発明の一実施形態に係る追記型つまり情報の一回記録が可能な光ディスク１０を示す。光ディスク１０は透明基板上に情報記録層を形成し、レーザー光をこれに集光することで、情報の記録再生を可能にしている。情報の記録層には有機色素材料や多層の無機材料等の記録材料が用いられている。この情報記録層に高いパワーのレーザ光を集光することで記録ピットもしくはマークを形成し、光ディスク１０に情報を記録する。また、記録されるユーザー情報等の情報は、光ディスク記録に適した信号に変調される。例えば（１，１０）ＲＬＬ，（２，１０）ＲＬＬ等の変調法則が適用される。情報の記録再生の手段として、光ディスク１０の基板はグルーブトラックと呼ばれる案内溝を有している。情報の記録再生はこの案内溝に沿って行われる。また、情報を記録再生する位置を特定するための、物理アドレスが基板にあらかじめ形成されている。
【００１３】
また、本発明の光ディスク１０は、半径方向に複数の領域を有し、それぞれの領域で記録する情報の種類があらかじめ定められている。情報記録層は大別して、再生専用のシステム領域であるエンボスリードインエリア１１、記録可能なシステム領域であるリードインエリア１２、ユーザーデータを記録するためのデータエリア１３に区分されている。エンボスリードインエリア１１はエンボスピットつまりディスク表面の凹凸で情報が記録されており、これを除く各領域には上述のグルーブが形成されている。
【００１４】
リードインエリア１２には、データエリア１３の記録状態を管理するための管理領域Ａが設けられている。具体的には、データエリア１３に記録したデータの開始位置アドレスや終了位置アドレス等の情報が記録位置情報として記録される。このほかに、必要に応じて次回の記録位置、内周側及び外周側学習領域の記録位置、学習後の最適波形情報、保護領域を拡張学習領域として用いたか否かを示す情報、データ領域の終端位置を変更した際の更新されたデータ領域の終端位置等の管理情報が記録される。追記型ディスクでは、情報の上書きが不可能であるため、これらの管理情報は一まとめで記録、変更される。このまとまりは、一般に誤り訂正の単位と同じ単位で取り扱われる。すなわち、内容が一部でも更新された際には、すべての情報が適宜ディスクの管理情報記録領域の内周側から外周側に向かって追記されていく。
【００１５】
さらに、フォーマット情報保存領域Ａが設けられている。ここには、記録済みの光ディスクを、再生専用光ディスク装置で再生する際に利用する制御情報が記録される。この情報には記録状態管理領域Ａに記録される管理情報と共通の情報も記録されている。また、この領域は再生専用光ディスク装置が記録ピットに対してトラッキング制御を行う際の助走、オーバーラン許容領域としての機能も有している。
【００１６】
データエリア１３にはユーザーデータが記録される。また、ユーザーデータが記録されたディスクを再生専用光ディスク装置で再生するために取り出す場合には、ユーザーデータに続いてボーダーアウトもしくはリードアウトと呼ばれる領域が設けられる。引き続きユーザーデータを記録する場合には、ボーダーアウトと次のユーザーデータの間にボーダーインが準備される。ボーダーアウトは記録状態管理領域Ａ■が設けられ、最新の記録位置情報ＲＭＤのコピーが記録される。また、ボーダーの終了位置であることを示す最終記録位置情報ＮＢＭ(Next Border Maker)が所定の位置に記録される。このほかに、最終記録位置情報の記録位置を示す制御情報Ａが保存される。また、このボーダーアウトは再生専用光ディスク装置が記録ピットに対してトラッキング制御をかける際のオーバーラン許容領域としての機能も有しているため、情報の間にダミーデータ等を入れることで一定の幅を確保している。ボーダーインはリードインエリア１２と同様の機能を有している。
【００１７】
また、引き続きユーザーデータを記録しないことが予め決まっている場合、その内容を記録位置情報ＲＭＤとして記録情報管理領域Ａ及びＡ’に保存する。この場合、ボーダーアウトはリードアウトと呼ばれ、ユーザーデータの終了を示す情報が記録されるほか、再生専用光ディスク装置が記録ピットに対してトラッキング制御をかける際のオーバーラン許容領域としての機能も有している。
【００１８】
図２に本発明の一実施形態に係る光ディスク記録再生装置の構成を示す。本発明の光ディスク装置は光ピックアップ（ＰＵＨ）から出射されるレーザー光を光ディスクの情報記録層に集光することで、情報の記録再生を行っている。ディスクから反射した光は、再びＰＵＨの光学系を通過し、フォトディテクター（ＰＤ）で電気信号として検出される。フォトディテクタの出力信号はプリアンプで増幅され、サーボ回路、ＲＦ信号処理回路、アドレス信号処理回路に出力される。
【００１９】
サーボ回路では、フォーカス、トラッキング等のサーボ信号が生成され、各信号がそれぞれ、ＰＵＨのフォーカス、トラッキングアクチュエータに出力される。
【００２０】
ＲＦ信号処理回路では、再生された信号からユーザーデータや管理情報が取り出され、アドレス信号処理回路ではアドレス情報が取り出され、コントローラーに出力される。
【００２１】
コントローラーはアドレス情報を元に、所望の位置のユーザーデータ等のデータを読み出したり、所望の位置にユーザーデータや管理情報を記録する。また、コントローラーはアドレス情報を元に、所望位置のアクセスを行い、既記録部分に特定のデータを上書きすることで、既記録部分の情報の消去を行うことができる。また、記録する信号は記録信号処理回路で光ディスク記録に適した記録波形制御信号に変調される。この信号を元にＬＤ駆動回路（ＬＤＤ）はＰＵＨ内のＬＤ（Laser Diode）を発光させ、光ディスクに情報を記録する。また、記録信号処理回路では通常のデータ記録のための波形生成のほかに、上書き消去用の波形を生成することが可能であり、コントローラの指示によって波形の切り替えを行う。さらにＲＦ信号処理回路では、通常のデータ再生機能だけでなく、後述の消去データ判定処理機能を有しており、コントローラの指示に従って、消去データ判定処理を行う。
【００２２】
図３に本発明の一実施形態に係る光ディスク再生専用装置の構成を示す。一般に、再生専用ディスクにはアドレス情報が、ユーザーデータと同時にピットによって形成されている。したがって、アドレスの読み取りはＲＦ処理回路でデータの再生と同時に行われる。このほか記録機能以外の構成は記録再生装置と同様である。ただし、再生専用装置では、一般にエンボスピットに対してのみトラッキング制御を行うことを想定しているため、ＰＰ（Push Pull）方式のトラッキング制御機能を有さず、ＤＰＤ（Differential Phase Detection）方式のみの制御機能を有していても良い。
【００２３】
次に、記録装置のトラッキング制御方法について説明を行う。
【００２４】
通常、記録装置では、光ディスクのグルーブに沿ってビームを走査するために、ＰＰ方式トラッキング制御システムが搭載されている。図４にグルーブへのトラッキングを行うための、トラキングサーボ信号生成装置の概略図を示す。トラッキングサーボ信号生成装置は２分割のＰＤと減算器２１から構成されている。光ディスクからの反射光は、ビームがグルーブの中心を走査している場合には左右対称の強度分布を示す。しかしながら、ビームがグルーブの中心からずれた場合には、左右の強度分布の一方が低下し、一方が上昇する。このため、２つに分割したＰＤの差信号を観測した場合、ビームがグルーブの中心にある場合には出力は０となり、ビームの中心から離れた場合には図中、右端に示すような波形となる。この信号をトラッキングサーボ信号として用いる。
【００２５】
次に、再生専用装置のトラキング制御について説明を行う。再生専用ディスクにはグルーブはなく、また、ピットの形状が和信号の品質を優先に作られているため、上述の差信号によるトラッキングサーボ信号を取得することが難しい。図５に再生専用装置のトラキングサーボ信号生成装置の概略図を示す。これはＤＰＤ方式と呼ばれる方式である。この方式では、４分割ＰＤが使用される。ピットからの反射光を観測した場合、ビームがピットもしくはマークの中心を走査している場合には、ＡＢＣＤの各ＰＤ素子からはほぼ等しい位相の信号が出力される。これに対し、ビームがピット中心から外れるにつれ、Ａ，Ｄから出力される信号とＢ，Ｃから出力される信号の位相が徐々にずれてくる。従って、この位相ずれ量を検出すればトラックの中心からのずれが検出できる。
【００２６】
図５に示す装置では、ＰＤの素子Ａ及びＤの出力信号は加算器２２ａにより加算され、素子Ｂ及びＣの出力信号は加算器２２ｂにより加算される。両加算信号はイコライザ（ＥＱ）２３ａ、２３ｂによって、短いマークの振幅成分が増幅され、レベルコンパレータ２４ａ、２４ｂで２値化される。さらに、位相比較器２５、ローパスフィルタ２６、減算器２８によって、素子Ａ及びＤの加算信号と素子Ｂ及びＣの加算信号の位相差を比較することで、トラッキングサーボ信号が生成される。このように、再生専用装置のトラキングサーボ信号生成回路では、信号の時間的な変動を検出する必要があるため、グルーブのように常に一定レベルの信号が出力されるような構造の光ディスクに対しては、トラッキング制御を行うことができない。
【００２７】
次に、図６を用いて光ディスク記録装置によって光ディスクに情報を記録する手順の説明を行う。図６において、左側はディスクの内側、右側はディスクの外側である。情報記録可能な光ディスクのリードインエリア、データエリアにはあらかじめグルーブが形成れており、このグルーブはアドレス情報が記録されている。従って、記録装置はこの情報に従って、ディスクの所望の位置にアクセスすることができる。図６（ａ）のように、光ディスク装置はユーザーからの要求に従いユーザーデータをデータエリアに記録した場合には、その記録位置情報をリードインエリアのレコーディングマネジメントゾーンにレコーディングマネジメントデータ（ＲＭＤ）として記録しておく。次にデータを記録する際には、図６（ｂ）のように既存のＲＭＤ＃１を再生し、既存のユーザーデータ＃１と重ならないようにユーザーデータ＃２を記録する。
【００２８】
この段階の光ディスクは、マークが記録されているユーザーデータ領域が飛び飛びにあるため、マークにしかトラッキングを行うことができない再生専用装置では再生を行うことができない。
【００２９】
そこで、再生専用装置との互換性を取るために、記録装置はクローズ処理を行うことができる。図６（ｃ）にクローズ処理されたディスクの状態を示す。クローズされたディスクは、ユーザーデータの切れ目がダミーの記録マークでパディングされており、さらに、ユーザーデータに続いて、最後の記録管理情報のコピー（ＲＭＤ＃３）、記録マークの最後であることを示す情報であるＮＢＭ（Ａ１）、またその手前（内側）にＮＢＭの位置（アドレス）を示す情報ＳＢ（Ａ１）が記録されている。このユーザーデータに引き続いて記録された領域をボーダーアウト（Border-Out）と呼ぶ。さらに、ユーザーデータ直前にはフォーマット情報（ＦＩ）が記録されており、またリードインエリアにはＲＭＤ＃３が記録されている。ユーザーデータ直前のフォーマット情報（ＦＩ）はボーダーインとしての役目も果たす。フォーマット情報は、このようにユーザーデータと接触するように設けられても良いし、図１のようにユーザーデータと離して設けても良い。フォーマット情報をユーザーデータから離して設ける場合、ＤＰＤ方式トラッキングが行えるように、フォーマット情報とユーザーデータの間にダミーデータが記録される。
【００３０】
ボーダーインからアウトまでの領域をボーダーと呼ぶ。フォーマット情報およびＲＭＤ＃３にはボーダーの終了位置等の情報が記録されている。このいずれかの領域を再生することで、追記が可能・不可能といったボーダーの状態や、ボーダーの開始位置、終了位置を知ることができる。また、ＮＢＭには次のボーダーが存在していないことを表す情報が記録されており、ＮＢＭを発見した場合には光ディスク装置はそこで再生を終了する。このようにクローズされたディスクでは、ボーダーインからアウトまで連続的に記録マークが形成されているために、再生専用装置での再生が可能となる。
【００３１】
続いて情報を記録する場合には、図６（ｄ）のようにボーダーゾーンから一定量間隔をとってユーザーデータ＃３を記録する。さらに、このユーザーデータ＃３を再生専用装置で再生可能にするために再びクローズする場合には、図６（ｅ）のようにユーザーデータ＃３の直前にボーダーインを形成する。また先ほどと同様にボーダーアウトを形成する。ただし、この状態では、ＮＢＭ（Ａ２）を発見した装置がその時点で再生を終了してしまうため、２回目以降のクローズ処理ではＮＢＭ情報の消去を行う。
【００３２】
また、図示しないが、ＮＢＭの記録後、再生評価によってＮＢＭの記録の失敗が確認された場合には、通常のボーダーアウトに引き続き一定量のダミーデータを記録した後に、再びＳＢとＮＢＭを記録する。さらに、ＮＢＭの再記録を行ったことを示すフラグと追記した位置情報をＲＭＤに記録する。
【００３３】
ここでは、ＲＭＤの更新をリードインエリアで行う場合について説明したが、ＲＭＤをデータエリアの一部に拡張して記録することも可能である。つまりＲＭＤを例えばユーザーデータ＃１とユーザーデータ＃２の間のような領域に記録することも可能である。
【００３４】
次に再生専用装置により光ディスクから情報を再生する順序について説明する。
【００３５】
ＤＰＤ方式再生専用装置では、図６のリードインエリアのレコーディングマネジメントゾーンＲＭＤへのアクセスが不可能であるため、図７（ａ）に示す順序でディスクの再生を行う。再生専用装置は、光ディスクのアクセス可能な領域の最後に記録されたユーザーデータ、すなわち最新情報の検索を行う。
【００３６】
再生専用装置は始めにエンボスピットで記録されたシステムリードイン領域を再生し、フォーマット情報ＦＩの先頭位置を読み取る。次にフォーマット情報から自己ボーダーのユーザーデータの最終位置を読み取り、その位置にアクセスする。そこから順にＳＢとＮＢＭを読み出す。ＮＢＭが正常に再生された場合には、それが読み取り可能な最終位置であるため、そこでトレースを終了し、最後のユーザデータ＃２に戻り最新情報を再生する。
【００３７】
次に、複数のボーダーが存在する場合について図７（ｂ）を参照して説明を行う。複数のボーダーが存在する場合にも、同様にシステムリードイン、フォーマット情報ＦＩ、自己ボーダーのユーザーデータの最終位置と順に再生を行う。次にＳＢ（Ａ１）を再生をした後、ＳＢ（Ａ１）で指定された位置のＮＢＭに含まれる記録データの最終記録位置を示す情報が消去されていた場合、次のボーダーがあると判定し、次のボーダーのフォーマット情報を再生する。同様にして記録データの最終記録位置を示す情報が含まれたＮＢＭを検索し、最終記録位置を判断して、ＲＤＭ＃５を基にユーザーデータを再生する。
【００３８】
次に、光ディスクに記録されるデータのデータ構造に関して図８を参照して説明を行う。
【００３９】
光ディスクは通常データセグメントという単位で記録が行われる。このデータセグメントにはユーザーデータのほかに、たとえば導入のためのＶＦＯや、ユーザーデータの最後を示すポストアンブルやバッファー等が含まれてもよい。ユーザーデータはデータフィールドに格納される。データフィールドは複数のセクターに分割され、さらにセクターは複数のフレームに区分される。フレーム０にはユーザーデータのほかに再生専用装置がデータの属性やアドレスを読み取るためのセクターのＩＤと、訂正処理のための訂正符号（ＰＩ）が記録されている。そのほかのフレームにもユーザーデータと訂正符号（ＰＩ）が記録されている。データフィールドには誤り訂正の一単位である１ＥＣＣ  Ｂｌｏｃｋ分の情報が保存される。尚、一般に再生専用装置の場合、データフィールドになにも記録されていないと、前述したようにトラッキング制御ができず、セクターＩＤを読込むことができない。
【００４０】
次にＮＢＭの記録及び検出方法について説明する。
【００４１】
ＮＢＭに記録の最終位置を示す情報を記録する方式には以下に示す方式がある。
【００４２】
Ａ）あらかじめ決められた特定パターンの連続を記録する。
【００４３】
ＮＢＭの検出を容易にするために、本発明の一実施形態として予め決められた特定パターンを記録する方法がある。一般に、特定のパターンが連続した場合に、ＤＰＤ方式によるトラッキングサーボ信号は出力されないか、もしくは品質が低下するという問題がある。しかし、（ａ）特定パターンに使用する符号を通常データ領域と同じランレングスに制限すること、（ｂ）２種類以上の符号を用いること、（ｃ）ＮＢＭの幅をトラック一周以下に限定し、隣接トラックに通常の変調領域を設けることのいずれか一つ、もしくは複数の方法を採用することで、ＤＰＤ信号の品質を確保することが可能となる。ここで、ＮＢＭの幅は１ＥＣＣ  ｂｌｏｃｋ（データセグメント）や２ＥＣＣ  ＢＬＯＣＫ程度が望ましい。
【００４４】
Ｂ）ユーザーデータと同様にデータ領域に記録の最終位置を示す情報を記録する。
【００４５】
Ｃ）ＩＤに記録の最終位置を示す情報を記録する。
【００４６】
方式Ｂ，Ｃ）の場合、最終位置を示す情報は、１ＥＣＣ  ｂｌｏｃｋすべてに記録してもよいし、１セクター毎や１フレームごとに通常の変調を施したダミーデータと交互に記録してもよい。
【００４７】
次にＮＢＭの消去方法について説明する。
【００４８】
追記型のディスクは一回のみの記録を前提に記録層が形成されているために、データを上書きした場合、上書き部のデータは破壊され再生することが不可能となる。本発明では、下記に示すようなパターンを上書きすることによって情報を破壊し、なおかつＤＰＤ信号のようなトラッキングのための信号を維持することを可能としている。
【００４９】
消去Ａ）  図１０（ａ）は追記型光ディスクに記録したＮＢＭの再生波形を示す。このようにＮＢＭが記録されたディスクに、図１０（ｂ）のように、主データと同様の変調を施したダミーデータを上書きする。上書き時のデータに長いスペースが存在する場合、局所的にはその部分では上書きが行われず、前の信号が残る。通常、変調された信号は一定の確立で必ず長いスペースが出現するので、この部分では情報が上書きされず、ＤＰＤ信号が正常に発生する。ＤＰＤ信号を用いたトラッキングサーボ系は、記録情報の再生系に比べて十分に帯域が低いため、間欠的に発生する信号であっても正常な動作が可能となる。一方、長いスペース以外の部分では記録信号は上書きされるので、情報の読み出しは不可能になる。すなわち情報は完全に消去されたことになる。
【００５０】
消去Ｂ）  図１０（ｃ）のように、ユーザーデータの記録に用いられる変調領域のうち、最大ラン長の半分より長いラン長の符号を含み、そのラン長の合計がパターン全体のラン長の１／３を超えるような特定パターンを上書きする。例えば主データが（１，１０）ＲＬＬ変調で変調されている場合、図９に示すような１０Ｔ−１０Ｔ−４Ｔというパターンを用いる。このパターンは奇数個の符号から構成されているため、１０Ｔのマーク、１０Ｔのスペース、４Ｔのマーク、１０Ｔのスペース、１０Ｔのマーク、４Ｔのスペースという順で記録が行われる。また、このようなパターンで上書きを行った場合、１０Ｔスペース部分では上書き後もＤＰＤ信号の取得が可能なため、消去部分の５／１２（＝１０Ｔ／２４Ｔ）の範囲でＤＰＤ信号が取得できることになり、上書き後も確実にトラッキングが行える。
【００５１】
消去Ｃ）  図１０（ｄ）のように、ユーザーデータの記録に用いられる変調領域のうち、もっとも短いラン長の連続パターンを上書きする。例えば主データが（１，１０）ＲＬＬ変調で変調されている変調方式の場合、２Ｔの連続信号が記録される。この場合、元の記録信号は完全に破壊されて、上書き後の再生信号は振幅が小さくなる。従って、ＤＰＤ信号の品質が著しく低下するため、長い区間を上書きすることはできないが、後述する上書きの範囲の限定によって、ＤＰＤ信号を確保することが可能となる。
【００５２】
次に上書きの範囲について説明を行う。
【００５３】
範囲ａ）  図１１（ａ）のように、鍵情報を含むデータセグメントをすべて上書きする。
【００５４】
確実にもとの情報を消去することが可能となる。ただし、消去Ｃ）の方法に関しては、長い範囲にわたって、ＤＰＤ信号が出力されなくなるため、範囲ａ）を用いることは好ましくない。
【００５５】
範囲ｂ）  図１１（ｂ）のように、各セクターのデータ部を上書きする。  
ＩＤにはアドレス情報とそのデータの属性情報が含まれているため、ここを残すことで、アドレスの取得や、データの属性を確認することが可能となる。したがって、上書き消去後も安定したアドレスサーチを行うことが可能となる。
【００５６】
範囲ｃ）図１１（ｃ）のように、セクターをひとつ置きに上書きする。
【００５７】
通常記録未記録の制御はセクター単位で行われるので、セクター単位で制御を行った方が上書きの処理が簡便となる。さらに、一つおきにＩＤが残存しており、アドレス情報の取得が可能となるため、補完処理によって安定してアドレスを再生することが可能となる。また、消去Ｃ）の方法を用いた場合でも一回のＤＰＤ信号低下範囲が短いため、比較的安定してトラッキングを行うことができる。
【００５８】
範囲ｄ）図１１（ｄ）のように、セクターのデータ部を一つおきに上書きする。
【００５９】
範囲ｂ）と同様にセクターのＩＤの読み取りが可能であるほか、消去Ｃ）の方法を用いた場合でも一回のＤＰＤ信号低下範囲が短いため、比較的安定してトラッキングを行うことができる。
【００６０】
図１２は図１１（ｃ）及び１１（ｄ）のように、セクターに記録された情報を１セクターおきに消去した場合のＰＩエラーを示す図である。例えば情報が消去されたセクター０ではＰＩエラー数は最大の１３、以前の情報がそのまま残っているセクター１ではＰＩエラー数は０というように、ＰＩエラー数１３と０が交互に発生する。このようなエラーパターンにより光ディスク装置は当該セクターが消去されたＮＢＭであることを容易に理解できる。
【００６１】
次に、再生専用の光ディスク装置にディスクが挿入されてからデータの再生を行う手順を図１３を参照して説明する。一般に、追記型のディスクではユーザーデータの最後尾に最新の情報が記録されるため、ディスクの再生は、最後尾の検索から開始される。
【００６２】
光ディスク装置にディスクが挿入されると（ＳＴ１）、フォーカスサーボ等のサーボを動作させ、ビームスポットを光ディスクの情報記録面に集光する（ＳＴ２）。
【００６３】
続いてエンボスリードインエリアの情報を再生する（ＳＴ３）。ここで、ディスクの種類を判定し、ディスクが本発明の追記型ディスクであった場合には、引き続きリードインエリアのフォーマット情報の再生を行う（ＳＴ４）。
【００６４】
フォーマット情報があった場合には、フォーマット情報を元に、そのボーダーのユーザーデータ部の最後にビームスポットを移動する（ＳＴ７）。フォーマット情報がなかった場合には、そのディスクは再生不可能であるため、ディスクの再生を中止する（ＳＴ６）。
【００６５】
ビームスポットがユーザーデータ部の最後に移動したら、引き続きボーダーアウトの再生を行い、ＮＢＭの情報を確認する（ＳＴ８）。
【００６６】
ＮＢＭに記録データの最後を示す情報が記録されていた場合、そのボーダーが最後のボーダーであるため、最後のユーザーデータ部に戻って情報の再生を行う（ＳＴ１１、ＳＴ１２）。
【００６７】
ＮＢＭの記録データの最後を示す情報が上書きによって消去されていた場合、次のボーダーが存在することになるため、ビームスポットを次のボーダーのフォーマット情報に移動させる（ＳＴ１０）。その後は記録データの最後を示す情報が記録されたＮＢＭを発見するまで同じ手順が繰り返される。
【００６８】
以上の説明はこの発明の実施の形態であって、この発明の装置及び方法を限定するものではなく、様々な変形例を実施することができる。そのような変形例も本発明に含まれるものである。又、各実施形態における構成要素、機能、特徴あるいは方法ステップを適宜組み合わせて構成される装置又は方法も本発明に含まれるものである。
【図面の簡単な説明】
【００６９】
【図１】本発明の一実施形態に係る追記型光ディスクを示す。
【図２】本発明の一実施形態に係る光ディスク記録再生装置の構成を示す。
【図３】本発明の一実施形態に係る光ディスク再生専用装置の構成を示す。
【図４】グルーブへのトラッキングを行うための、トラキングサーボ信号生成装置の概略図を示す。
【図５】再生専用装置のトラキングサーボ信号生成装置の概略図を示す。
【図６】光ディスク記録装置によって光ディスクに情報を記録する手順を示す。
【図７】本発明に係る再生専用装置が光ディスクから情報を再生する順序を示す。
【図８】光ディスクに記録されるデータのデータ構造を示す。
【図９】最終記録位置情報（ＮＢＭ）を消去する際のデータパターンを示す。
【図１０】追記型光ディスクに記録したＮＢＭに上書きされる記録パターン及びその再生信号を示す。
【図１１】ＮＢＭの上書き範囲を示す。
【図１２】セクターに記録された情報を１セクターおきに消去した場合のＰＩエラーを示す図である。
【図１３】再生専用の光ディスク装置にディスクが挿入されてからデータの再生を行う手順を示す。
【符号の説明】
【００７０】
１０…光ディスク、２１、２８…減算器、２２ａ、２２ｂ…加算器、２３ａ、２３ｂ…イコライザ、２４ａ、２４ｂ…レベルコンパレータ、２６…ローパスフィルタ。
【図１】
2006048750.tif 000003
【図２】
2006048750.tif 000004
【図３】
2006048750.tif 000005
【図４】
2006048750.tif 000006
【図５】
2006048750.tif 000007
【図６】
2006048750.tif 000008
【図７】
2006048750.tif 000009
【図８】
2006048750.tif 000010
【図９】
2006048750.tif 000011
【図１０】
2006048750.tif 000012
【図１１】
2006048750.tif 000013
【図１２】
2006048750.tif 000014
【図１３】
2006048750.tif 000015